(57)【要約】【課題】装置本体と支持具との間の連結を補助する連結具に関して、作業者が装置本体と支持具との間を連結する作業を行い易くする。【解決手段】支持具１０の重力方向上側に、後方へ突出し支持プレート３２の上方辺３６に係止可能な上方係止片１６が設けられており、上方係止片１６から支持具の後方穴１５までの重力方向距離が、支持プレート３２の上方辺３６から支持プレート取付穴３４までの重力方向距離と一致する。【選択図】図３
2020003626.tif 000002
【特許請求の範囲】
【請求項１】
複数の装置本体取付穴が表面に設けられている装置本体に取り付け可能な連結具であって、複数の支持プレート取付穴が設けられており１つの上方辺および２つの側方辺を有する支持プレートを介して前記装置本体を支持するための支持具と前記装置本体との間の連結を補助する連結具において、
前記連結具は、平坦部を有する連結板を有しており、前記連結板の前後方向の前方の面が前記装置本体に臨む前方面であり、後方の面が前記支持プレートに臨む後方面であり、
前記前方面には前記装置本体取付穴とそれぞれ連通可能な複数の前方穴が設けられており、
前記後方面には前記支持プレート取付穴とそれぞれ連通可能な複数の後方穴が設けられており、
前記連結板の外周の一辺に、前記平坦部から後方へ突出し前記支持プレートの前記上方辺に係止可能な上方係止片が設けられており、
前記上方係止片を重力方向上側とする場合に、前記上方係止片から前記後方穴のそれぞれまでの重力方向距離が、前記支持プレートの前記上方辺から前記支持プレート取付穴のそれぞれまでの重力方向距離と一致すること
を特徴とする連結具。
【請求項２】
前記連結板の上方係止片が設けられている一辺と交差する２つの辺に、前記平坦部から後方へ突出する側方案内片が設けられており、
前記側方案内片同士の距離が、前記支持プレートの前記２つの側方辺同士の距離と一致する、またはそれより３ｍｍ大きい距離以内の大きさであること
を特徴とする請求項１に記載の連結具。
【請求項３】
前記側方案内片の後方の端部に、反対側の側方案内片の側へ突出する後方規制片が設けられており、
前記連結板のうち支持プレートと接する面から前記後方規制片までの前後方向距離が、前記支持プレートの前記側方辺の厚みと一致する、またはそれより３ｍｍ大きい距離以内の大きさであること
を特徴とする請求項１または請求項２に記載の連結具。
【請求項４】
前記後方穴がそれぞれ、前記連結板の平坦部から後方へ盛り上がる連結山部に設けられており、前記連結山部の重力方向下側は前記平坦部に向けて滑らかな斜面となっていること
を特徴とする請求項１ないし請求項３のいずれか１項に記載の連結具。
【請求項５】
前記前方穴がそれぞれ、前記連結板の平坦部から前方へ向けて窪む連結谷部に設けられており、
前記後方穴がそれぞれ、前記連結谷部の深さと同じまたはそれより短い長さで前記前方面から前方へ向けて伸びる連結突出部の内部を通る穴であり、
前記連結板の重力方向下側の辺に、前記平坦部から前方へ向けて滑らかに傾斜する案内斜面が設けられていること
を特徴とする請求項１ないし請求項３のいずれか１項に記載の連結具。
【請求項６】
前記前方穴と前記後方穴の配置が、ＶＥＳＡ規格に従うディスプレイとスタンドとの間の連結用のネジ穴の配置に一致するものであり、前記前方穴と前記後方穴は互いに異なる四角形の頂点に配置されるものであること
を特徴とする請求項１ないし請求項５のいずれか１項に記載の連結具。
【発明の詳細な説明】
【技術分野】
【０００１】
本発明は、装置本体と支持具との間の連結を補助する連結具に関するものであり、特にディスプレイとスタンドとの間の連結を補助する連結具に関するものである。
【背景技術】
【０００２】
従来、ディスプレイを始めとする装置本体は支持具、例えばスタンドに支持されて使用されることがある。特にディスプレイをスタンドで支持することに関しては、ディスプレイとスタンドとを連結するためのネジ穴の配置や寸法がＶＥＳＡ（Video Electronics Standard Association）規格により定められており、この規格に従うディスプレイおよびスタンドは、製造メーカーや型番を問わず互いに連結が可能となっている。
【０００３】
図６に示すように、ＶＥＳＡ規格のディスプレイ７０の背面７２（映像表示面と反対側の表面）には正方形（例えば７５ｍｍ四方や１００ｍｍ四方）の頂点の位置に設けられた４つのネジ穴７４があり、スタンド８０の支持プレート８２にはこれと同じ配置の支持プレート取付穴８４が設けられている。そして、４本のネジ９０がそれぞれ支持プレート取付穴８４を通してネジ穴７４へネジ止めされることで、スタンド８０とディスプレイ７０とが連結される。
【先行技術文献】
【特許文献】
【０００４】
【特許文献１】特開２００７−１７８５０２号公報
【発明の概要】
【発明が解決しようとする課題】
【０００５】
しかしながら、特にディスプレイ７０が大型の場合には、作業者がディスプレイ７０をスタンド８０へ連結することが困難である。なぜならば、ネジ止めを行う際には作業者がネジ穴７４を支持プレート８４に位置合わせさせて、ディスプレイ７０を宙に浮かせたままネジ９０のネジ回しを行う必要があるためである。すなわち、作業者が一人で作業を行うためには、大型で重量の大きいディスプレイ７０を片方の手で安定して支え続けたまま、もう片方の手で正確なネジ回しを行わねばならないが、これは困難である。例えば二人の作業者が協力して、一人がディスプレイ７０を支え、もう一人がネジ回しを行うことで安定した連結作業が行えるが、連結作業のためだけに複数人の作業者が必要となるため、従来の連結作業は作業効率が悪いものとなっていた。
【０００６】
特許文献１に記載されているディスプレイとスタンドとの連結構造においては、スタンドに可動爪と上向きの固定爪が設けられており、この可動爪と固定爪がそれぞれディスプレイの背面に設けられた係合溝部と係合穴部に係合する構造となっている。これにより、作業者はネジ止めでなく可動爪と固定爪を係合溝部と係合穴部に係合させるという作業で容易に連結が行えるようになっている。
【０００７】
ところが、ＶＥＳＡ規格のディスプレイおよびスタンドには本来、可動爪、固定爪、係合溝部、係合穴部のいずれも設けられていない。そのため、特許文献１に記載の連結構造がＶＥＳＡ規格のディスプレイおよびスタンドに適用される際には、ディスプレイおよびスタンドの両方に加工が施される必要がある。すなわち、可動爪と固定爪を有するアタッチメントがスタンドに取り付けられる必要があるとともに、ディスプレイに係合溝部と係合穴部を施す加工が行われるか、係合溝部と係合穴部を有する枠体がディスプレイに取り付けられる必要がある。また、作業者が可動爪と固定爪を係合溝部と係合穴部に係合させる際には、ディスプレイを空中で支えたままスタンドを前上がりに傾斜させるといった作業を行わなければならず、やはり一人で作業を行うことは困難なものとなっている。
【０００８】
そこで本発明は、装置本体と支持具との間の連結を補助する連結具に関して、装置本体と支持具に対する加工の必要性を最小限とし、また作業者が装置本体と支持具との間を連結する作業を行い易くすることを課題とする。
【課題を解決するための手段】
【０００９】
上記課題を解決するため、本発明に係る連結具は、複数の装置本体取付穴が表面に設けられている装置本体に取り付け可能な連結具であって、複数の支持プレート取付穴が設けられており１つの上方辺および２つの側方辺を有する支持プレートを介して前記装置本体を支持するための支持具と前記装置本体との間の連結を補助する連結具において、前記連結具は、平坦部を有する連結板を有しており、前記連結板の前後方向の前方の面が前記装置本体に臨む前方面であり、後方の面が前記支持プレートに臨む後方面であり、前記前方面には前記装置本体取付穴とそれぞれ連通可能な複数の前方穴が設けられており、前記後方面には前記支持プレート取付穴とそれぞれ連通可能な複数の後方穴が設けられており、前記連結板の外周の一辺に、前記平坦部から後方へ突出し前記支持プレートの前記上方辺に係止可能な上方係止片が設けられており、前記上方係止片を重力方向上側とする場合に、前記上方係止片から前記後方穴までの重力方向距離が、前記支持プレートの前記上方辺から前記支持プレート取付穴までの重力方向距離と一致することを特徴とする。
【００１０】
また本発明に係る連結具は好ましくは、上記構成に加えて、前記連結板の上方係止片が設けられている一辺と交差する２つの辺に、前記平坦部から後方へ突出する側方案内片が設けられており、前記側方案内片同士の距離が、前記支持プレートの前記２つの側方辺同士の距離と一致する、またはそれより３ｍｍ大きい距離以内の大きさであるとよい。
【００１１】
また本発明に係る連結具は好ましくは、上記構成に加えて、前記側方案内片の後方の端部に、反対側の側方案内片の側へ突出する後方規制片が設けられており、前記連結板のうち支持プレートと接する面から前記後方規制片までの前後方向距離が、前記支持プレートの前記側方辺の厚みと一致する、またはそれより３ｍｍ大きい距離以内の大きさであるとよい。
【００１２】
また本発明に係る連結具は好ましくは、上記構成に加えて、前記後方穴がそれぞれ、前記連結板の平坦部から後方へ盛り上がる連結山部に設けられており、前記連結山部の重力方向下側は前記平坦部に向けて滑らかな斜面となっているとよい。
【００１３】
また本発明に係る連結具は好ましくは、前述の構成に代えて、前記前方穴がそれぞれ、前記連結板の平坦部から前方へ向けて窪む連結谷部に設けられており、前記後方穴がそれぞれ、前記連結谷部の深さと同じまたはそれより短い長さで前記前方面から前方へ向けて伸びる連結突出部に設けられており、前記連結板の重力方向下側の辺に、前記平坦部から前方へ向けて滑らかに傾斜する案内斜面が設けられているとよい。
【００１４】
また本発明に係る連結具は好ましくは、上記構成に加えて、前記前方穴と前記後方穴の配置が、ＶＥＳＡ規格に従うディスプレイとスタンドとの間の連結用のネジ穴の配置に一致するものであり、前記前方穴と前記後方穴は互いに異なる四角形の頂点に配置されるものであるとよい。
【発明の効果】
【００１５】
本発明の連結具によれば、連結具を装置本体に取り付ければ連結作業を行うことが可能となり、支持具の方に加工を施す必要がない。また、連結作業の際には連結具が取り付けられた装置本体を重力に従って支持具の支持プレートに向けて降下させるだけで、支持プレートの重力方向上側に位置する上方係止片が支持プレートの上方辺に係止する。そしてこの状態で支持具の後方穴と支持プレート取付穴とが位置合わせされるため、支持具に対する装置本体の仮止めおよび位置合わせを重力に従って装置本体を降下させるだけで行うことができ、作業者が一人であっても連結作業が容易となる。
【図面の簡単な説明】
【００１６】
【図１】本発明に係る実施形態の一例における連結具がディスプレイに取り付けられる様子を示す斜視図。
【図２】本発明に係る実施形態の一例における連結具を示す斜視図。
【図３】本発明に係る実施形態の一例における連結具が取り付けられたディスプレイをスタンドの支持プレートに係止させる様子を示す斜視図。
【図４】本発明に係る実施形態の一例における連結具が取り付けられたディスプレイをスタンドの支持プレートに連結させる様子を示す斜視図。
【図５】本発明に係る実施形態の別例における連結具を示す斜視図。
【図６】従来のディスプレイとスタンドとの連結の様子を示す斜視図。
【発明を実施するための形態】
【００１７】
図１は、本発明の実施形態の一例における連結具１０および装置本体としてのディスプレイ２０を示す。ディスプレイ２０の背面２２（映像表示面と反対側の表面）には、装置本体取付穴としての複数（ここでは４つ）のネジ穴２４が設けられている。ここではネジ穴２４は１００ｍｍ四方の正方形の頂点に設けられているものとする。
【００１８】
本実施形態においては、ディスプレイ２０に連結具１０が取り付けられる。連結具１０にはディスプレイ２０のネジ穴２４とそれぞれ連通可能な位置に後述する前方穴１４が設けられており、この前方穴１４を通じてネジ４１がネジ穴２４へとネジ止めされることによって、連結具１０がディスプレイ２０へと取り付けられる。
【００１９】
図２に連結具１０の詳細が示されている。連結具１０は全体的に四角形の連結板１２を基礎部分とする器具であり、この連結板１２の大部分は表面の平坦な平坦部１２ｓとなっている。以下、図中に示すように連結板１２の厚み方向を前後方向とし、連結板１２のうち前後方向の前方の面を前方面１２Ａ、後方の面を後方面１２Ｂと呼ぶ。
【００２０】
前方面１２Ａは図１に示すようにディスプレイ２０に臨む面であり、この前方面１２Ａには、後方面１２Ｂまで貫通する複数（ここでは４つ）の前方穴１４が設けられている。これらの前方穴１４はディスプレイ２０のネジ穴２４とそれぞれ連通可能であり、ここでは１００ｍｍ四方の正方形の頂点に設けられている。
【００２１】
後方面１２Ｂは図１，図２には図示されていないスタンド３０の支持プレート３２（後述の図３，図４に図示）に臨む面であり、この後方面１２Ｂには、前方穴１４とは異なる位置に複数（ここでは４つ）の後方穴１５が設けられている。ここでは後方穴１５は７５ｍｍ四方の正方形の頂点に設けられているものとする。そして、これらの後方穴１５の近傍はそれぞれ平坦部１２ｓから後方へ向けて盛り上がる連結山部１７となっている。図２に示すように、連結山部１７はそれぞれの頂上面（後方端面）は平坦な面になっており、この連結山部１７の頂上面に後方穴１５が設けられている。この後方穴１５は連結山部の厚み方向（前後方向）に延びるネジ穴となっており、後述のネジ４２によるネジ止めが可能である。また、連結山部１７の斜面、すなわち頂上面から平坦部１２ｓにかけての部分は滑らかな斜面となっている。特に前後方向と直交する重力方向の下側は、後方穴１５が設けられている頂上面から平坦部１２ｓに向けて滑らかでなだらかな斜面となっている。
【００２２】
連結板１２の外周の一辺、具体的には重力方向上側の辺（連結板１２の上方端部）には、平坦部１２ｓから後方へ向けて突出する板状の上方係止片１６が設けられている。また、重力方向上側の辺と交差する２つの辺、すなわち図２において左側の辺（連結板１２の左方端部）と右側の辺（連結板１２の右方端部）にはそれぞれ、平坦部１２ｓから後方へ向けて突出する板状の側方案内片１８が設けられている。ここでは、側方案内片１８の前後方向寸法は上方係止片１６の前後方向寸法と同じになっている。
【００２３】
さらに、側方案内片１８の後方の端部には、反対側の側方案内片１８の側へ向けて突出する後方規制片１８ａが設けられている。すなわち、図中右側の側方案内片１８の後方端部には左側へ向けて突出する後方規制片１８ａが設けられており、図中左側の側方案内片１８の後方端部には右側へ向けて突出する後方規制片１８ａが設けられている。
【００２４】
図３は、連結具１０が取り付けられたディスプレイ２０を、作業者がスタンド３０の支持プレート３２へと連結する作業の過程を示す図である。前述の上方係止片１６、側方案内片１８、後方規制片１８ａ、そして連結山部１７の斜面は、連結具１０が取り付けられたディスプレイ２０をスタンド３０へ連結し易くするための構造である。
【００２５】
図３に示すように、スタンド３０は四角板状の支持プレート３２を有しており、支持プレート３２には複数（ここでは４つ）の支持プレート取付穴３４が設けられている。図３中の支持プレート取付穴３４は、７５ｍｍ四方の正方形の頂点に設けられた、支持プレート３２の厚みを貫く貫通穴である。この支持プレート３２を介してスタンド３０とディスプレイ２０との間が連結される。以下、支持プレート３２の重力方向上側の辺（支持プレート３２の上方端部）を上方辺３６、左右方向（前後方向と重力方向の両方に交差する方向）の２つの辺（支持プレート３２の左方端部と右方端部）を側方辺３８と呼ぶ。
【００２６】
作業者が、本実施形態の連結具１０が取り付けられたディスプレイ２０を支持プレート３２へと連結するにあたっては、作業者はまず連結板１２の後方面１２Ｂを支持プレート３２の前面側へ向けて、連結板１２の下方端を支持プレート３２の上方辺３６に合わせ、ディスプレイ２０ごと連結具１０を重力Ｇに従って重力方向下側へ降下させる。
【００２７】
すると、滑らかな斜面となっている連結山部１７の重力方向の下側が降下につれて支持プレート３２の上方辺３６に接触し、その斜面に案内されて連結具１０およびディスプレイ２２が前方側へ移動する。そして、支持プレート３２の前面が連結山部１７の頂上面に接した状態となる。
【００２８】
また、降下につれて側方案内片１８が支持プレート３２の側方辺３８に沿う状態となり、側方案内片１８は重力方向に連結具１０を案内する。さらに、左右方向から側方案内片１８が支持プレート３２を挟み込む状態となり、連結具１０が支持プレート３２から左右方向にズレることが防止される。さらに、後方規制片１８ａが支持プレート３２の後方へと回り込むため、支持プレート３２の前面が連結山部１７の頂上面に接した状態では、連結山部１７の頂上面と後方規制片１８ａとが支持プレート３２を挟み込む状態となり、連結具１０が支持プレート３２から前後方向にズレることが防止される。
【００２９】
ここで、図２に示すように、平坦部１２ｓから後方規制片１８ａまでの前後方向距離Ｄ３は、連結山部１７の頂上面から平坦部１２ｓまでの前後方向距離Ｄ１（山の高さ）と、連結山部１７の頂上面から後方規制片１８ａまでの前後方向距離Ｄ２との合計である（Ｄ３＝Ｄ１＋Ｄ２）。そして、連結山部１７の頂上面から後方規制片１８ａまでの前後方向距離Ｄ２は、図３に示す支持プレート３２の前面から背面までの距離Ｄ０（支持プレート３２の側方辺３８の厚み）と一致するか、またはそれよりわずかに（例えば３ｍｍ）大きい（Ｄ２＝Ｄ０またはＤ２＝Ｄ０＋微小量）。連結具１０がこのような寸法であることにより、上記の通り支持プレート３２の前面が連結山部１７の頂上面に接した状態で、連結山部１７の頂上面と後方規制片１８ａとが支持プレート３２を挟み込む状態となる。
【００３０】
また、連結具１０の側方案内片１８同士の距離Ｗ１（左右方向間隔）は、支持プレート３２の左右方向寸法Ｗ０（側方辺３８同士の距離）と一致するか、またはそれよりわずかに（例えば３ｍｍ）大きい（Ｗ１＝Ｗ０またはＷ１＝Ｗ０＋微小量）。連結具１０がこのような寸法であることにより、上記の通り側方案内片１８が支持プレート３２の側方辺３８に沿う状態で、左右方向から側方案内片１８が支持プレート３２を挟み込む状態となる。
【００３１】
こうした連結具１０を用いることにより、作業者が正確な位置合わせを行わなくとも、重力Ｇに従ってディスプレイ２０ごと連結具１０が降下する間、左右方向および前後方向では連結具１０と支持プレート３２との位置合わせが維持される。そして重力方向については、連結具１０の上方係止片１６が支持プレート３２の上方辺３６に係止することで降下が停止する。
【００３２】
すると図４に示すように、ディスプレイ２０がスタンド３０の支持プレート３２に仮止めされた状態となる。ここで、図２に示す連結具１０の上方係止片１６から後方穴１５（ここでは代表として図中右上の後方穴１５）までの重力方向距離ｈ１と、図３，図４に示す支持プレート３２の上方辺３６から支持プレート取付穴３４（ここでは代表として図中右上の支持プレート取付穴３４）までの重力方向距離ｈ０が一致している。また左右方向、前後方向については前述の通り連結具１０と支持プレート３２との位置合わせが維持されている。そのため、上方係止片１６が上方辺３６に係止した状態においては、複数の支持プレート取付穴３４と後方穴１５とがいずれも連通した状態となる。
【００３３】
この状態でネジ４２が支持プレート取付穴３４を通じて後方穴１５へとネジ止めされると、仮止めされていた連結具１０が、支持プレート３２へ確実に連結された状態となる。作業者がこのネジ４２によるネジ止めを行う際には、作業者が片手でディスプレイ２０を支えなくとも、連結具１０によってディスプレイ２０が支持プレート３２に仮止めされた状態となっている。そのため作業者は両手が空いたまま一人でネジ４２によるネジ止めを行うことができる。またネジ止めによる連結の際に支持プレート３２の傾きなどを改めて調節する必要もない。
【００３４】
以上のように、本実施形態の連結具１０を用いてディスプレイ２０とスタンド３０との連結を行うようにすれば、作業者が一人で連結作業を行うことが可能となり、連結作業が行い易くなる。
【００３５】
また本実施形態の連結具１０を用いる場合には、連結作業の準備としては連結具１０をディスプレイ２０へと取り付けるだけでよく、支持プレート３２の方には何ら加工を行う必要がない。そのため、連結作業の手順が少なく、また連結のために必要となる部材点数も削減される。
【００３６】
また本実施形態の連結具１０に、上方係止片１６、側方案内片１８、後方規制片１８ａ、そして連結山部１７の斜面が設けられていることにより、連結具１０の取り付けられたディスプレイ２０を重力Ｇに従って支持プレート３２へと降下させるだけで、自然と連結具１０と支持プレート３２との位置合わせが行われて、ディスプレイ２０がスタンド３０の支持プレート３２に仮止めされた状態となるので、作業者は細かな位置合わせを行う必要がなく、連結作業が簡便なものとなる。
【００３７】
なお、上記の実施形態においては、一例としてディスプレイ２０側では１００ｍｍ四方にネジ穴２４が配置されており、支持プレート３２側の７５ｍｍ四方の支持プレート取付穴３４を介してディスプレイ２０とスタンド３０との連結が行われる場合について説明した。しかしながら本発明の連結具１０によって連結を補助できるディスプレイ２０とスタンド３０の組み合わせはこれに限るものではない。例えば図３に示すように、ＶＥＳＡ規格に従うスタンド３０の支持プレート３２には、７５ｍｍ四方の支持プレート取付穴３４に加えて、１００ｍｍ四方の支持プレート取付穴３５が設けられていることもある。またディスプレイ側のネジ穴が１００ｍｍ四方ではなく７５ｍｍ四方に配置されていることもある。
【００３８】
図５に、本発明の実施形態の別例として、ディスプレイ側のネジ穴が７５ｍｍ四方に配置されており、そのディスプレイ（図示せず）が１００ｍｍ四方に配置された支持プレート取付穴３５を介してスタンド３０に連結される場合に用いられる連結具５０が示されている。
【００３９】
この連結具５０も、全体的に四角形の連結板５２を基礎部分とする器具であり、この連結板５２の大部分は表面の平坦な平坦部５２ｓとなっている。そして、前後方向の前方にディスプレイに臨む前方面５２Ａがあり、後方に支持プレート３２に臨む後方面５２Ｂがある。
【００４０】
前方面５２Ａには、複数（ここでは４つ）の前方穴５４が設けられている。具体的には７５ｍｍ四方に設けられたディスプレイ側のネジ穴と連通できるように、７５ｍｍ四方の正方形の頂点に前方穴５４が設けられている。そして、これらの前方穴５４の近傍はそれぞれ平坦部５２ｓから前方へ向けて窪む連結谷部５７となっており、前方穴５４はこの連結谷部５７の底（前方端）に設けられた貫通穴となっている。この前方穴５４を通じてネジがディスプレイ側のネジ穴へとネジ止めされることによって、本実施形態の連結具５０が、７５ｍｍ四方のネジ穴を有するディスプレイ（図示せず）へと取り付けられる。
【００４１】
一方、後方面５２Ｂには、前方穴５４とは異なる位置、具体的には１００ｍｍ四方の正方形の頂点に、複数（ここでは４つ）の後方穴５５が設けられている。この後方穴５５は前方面５２Ａから前方へ向けて伸びる連結突出部５３の内部を通る穴となっている。具体的には、前方面５２Ａには前方へ向けて伸びる円柱状の連結突出部５３が４つ設けられており、後方穴５５はそれぞれ、後方面５２Ｂに開口があり、平坦部５２ｓの厚みおよび連結突出部５３の内部を通って前後方向に延びるネジ穴となっている。ここで、連結突出部５３の長さＤ４（前後方向寸法）は、連結谷部５７の底から平坦部５２ｓまでの前後方向距離Ｄ５（連結谷部５７の深さ）と同じか、それより短い長さとなっている（Ｄ４＝Ｄ５またはＤ４＜Ｄ５）。
【００４２】
また、図５の連結具５０の重力方向下側の辺には、平坦部５２ｓから前方へ向けて滑らかに傾斜する案内斜面５１が設けられている。ここでは、連結板５２のうち重力方向下側の部分が前方側へと折り曲げられた形態で案内斜面５１が設けられている。これにより、連結具５０の取り付けられたディスプレイが図３の支持プレートに向けて重力Ｇに従って降下させられる際には、案内斜面５１が支持プレート３２の上方辺３６に接触し、その斜面に案内されて連結具５０およびディスプレイ５２が前方側へ移動する。そして、支持プレート３２の前面が連結板５２の平坦部５２ｓに接した状態となる。
【００４３】
そして図５の連結具５０には、図２の連結具１０と同じく、連結板５２の外周の、重力方向上側の辺（連結板５２の上方端部）に、平坦部５２ｓから後方へ向けて突出する板状の上方係止片５６が設けられている。また、重力方向上側の辺と交差する２つの辺、すなわち図５において左側の辺（連結板５２の左方端部）と右側の辺（連結板５２の右方端部）にはそれぞれ、平坦部５２ｓから後方へ向けて突出する板状の側方案内片５８が設けられている。さらに、側方案内片５８の後方の端部には、反対側の側方案内片５８の側へ向けて突出する後方規制片５８ａが設けられている。
【００４４】
ただし、図５の上方係止片５６や側方案内片５８の寸法は、図２の上方係止片２６や側方案内片２８とは異なっており、平坦部５２ｓから後方規制片５８ａまでの前後方向距離Ｄ６が、図３に示す支持プレート３２の前面から背面までの距離Ｄ０（支持プレート３２の側方辺３８の厚み）と一致するか、またはそれよりわずかに（例えば３ｍｍ）大きい（Ｄ６＝Ｄ０またはＤ６＝Ｄ０＋微小量）ものとなっている。この理由は、図５の連結具５０では支持プレート３２と接する面が平坦部５２ｓとなるからである。なお、側方案内片５８同士の距離Ｗ１（左右方向間隔）については、図２の連結具１０と同じく、支持プレート３２の左右方向寸法Ｗ０（側方辺３８同士の距離）と一致するか、またはそれよりわずかに（例えば３ｍｍ）大きい（Ｗ１＝Ｗ０またはＷ１＝Ｗ０＋微小量）。
【００４５】
連結具５０がこのような寸法であることにより、連結具５０の取り付けられたディスプレイが支持プレート３２へ向けて降下させられるときには、支持プレート３２の前面が連結板５２の平坦部５２ｓに接した状態で、平坦部５２ｓと後方規制片１８ａとが支持プレート３２を挟み込む状態となる。そして、降下につれて側方案内片５８が支持プレート３２の側方辺３８に沿う状態となり、側方案内片５８は重力方向に連結具５０を案内する。さらに、左右方向から側方案内片５８が支持プレート３２を挟み込む状態となり、連結具５０が支持プレート３２から左右方向にズレることが防止される。さらに、後方規制片５８ａが支持プレート３２の後方へと回り込むため、支持プレート３２の前面が平坦部５２ｓに接した状態では、平坦部５２ｓと後方規制片５８ａとが支持プレート３２を挟み込む状態となり、連結具５０が支持プレート３２から前後方向にズレることが防止される。
【００４６】
よって、重力Ｇに従って連結具５０の取り付けられたディスプレイが降下する間、左右方向および前後方向では連結具５０と支持プレート３２との位置合わせが維持される。そして重力方向については、連結具５０の上方係止片５６が支持プレート３２の上方辺３６に係止することで降下が停止する。
【００４７】
また、連結具５０の上方係止片５６から後方穴５５（ここでは代表として図中左上の後方穴５５）までの重力方向距離ｈ２と、図３に示す支持プレート３２の１００ｍｍ四方の支持プレート取付穴３５（ここでは代表として図中左上の支持プレート取付穴３５）と上方辺３６との間の重力方向距離ｈＸが一致している。このため、上方係止片５６が支持プレート３２の上方辺３６に係止したとき、後方穴５５の位置が１００ｍｍ四方の支持プレート取付穴３５の位置と一致する。よって図５の連結具５０を使用した場合にも、上方係止片５６が上方辺３６に係止した状態（仮止め状態）においては、１００ｍｍ四方の支持プレート取付穴３５と後方穴５５とがいずれも連通した状態となる。この状態でネジが１００ｍｍ四方の支持プレート取付穴３５を通じて後方穴５５へとネジ止めされると、仮止めされていた連結具５０が、支持プレート３２へ確実に連結された状態となる。
【００４８】
このように、ディスプレイ側のネジ穴が７５ｍｍ四方に配置されており、そのディスプレイが１００ｍｍ四方に配置された支持プレート取付穴３５を介してスタンド３０に連結される場合にも、図５の連結具５０を用いることで、作業者は片手でディスプレイを支えるといった困難な作業を行う必要がなく、容易に連結作業を行うことができる。
【００４９】
なお、この実施形態では、連結板５２のうちディスプレイと直接接触する部分が連結谷部５７の底と、連結突出部５３の前方端のみである。さらに、連結突出部５３の長さＤ４が、連結谷部５７の底から平坦部５２ｓまでの前後方向距離Ｄ５より短い場合には、ディスプレイと直接接触するのは連結谷部５７の底のみとなる。そのため、平坦部５２ｓの大部分はディスプレイから間隔を空けた状態となり、その間隔に空気が流れ込むことができるので、ディスプレイの放熱性が高くなるという利点がある。
【００５０】
なお、上記の実施形態では連結具１０に側方案内片１８や後方規制片１８ａが設けられていることで、支持プレート３２に対する左右方向および前後方向への連結具１０の位置合わせが自然と行われるようになっているが、側方案内片１８や後方規制片１８ａは必ずしも設けられていなくともよい。なぜならば、上方係止片１６を支持プレート３２の上方辺３６に係止させれば、連結具１０はスタンド３０に仮止めされて支持された状態となって、作業者はその時点でディスプレイ２０を支える必要がなくなる。そのため、作業者は左右方向および前後方向への細かな位置合わせを、仮止め後に改めて一人で行うことができる。
【００５１】
また、上記の実施形態では上方係止片１６，側方案内片１８，後方規制片１８ａが重力方向または左右方向にひと繋がりの板状の形状となっているが、これらの形状はこれに限るものではなく、支持プレート３２に対する連結具１０の案内および仮止めを行える形状であればよい。これらは例えば重力方向または左右方向にひと繋がりではなく、飛び飛びに設けられた複数の突起であってもよい。
【００５２】
また、上記の実施形態ではＶＥＳＡ規格に従うディスプレイ２０とスタンド３０との連結について説明したが、本発明の連結具はこれに限らず様々な支持具と装置本体との間の連結を補助することに用いることが可能である。
【符号の説明】
【００５３】
１０    連結具
１２    連結板
１４    前方穴
１５    後方穴
１６    上方係止片
１８    側方案内片
２０    ディスプレイ
２４    ネジ穴
３０    スタンド
３２    支持プレート
３４    支持プレート取付穴
３６    上方辺
３８    側方辺
４１    ネジ
４２    ネジ
５０    連結具
５２    連結板
５４    前方穴
５５    後方穴
５６    上方係止片
５８    側方案内片
７０    ディスプレイ
７４    ネジ穴
８０    スタンド
８４    支持プレート取付穴
９０    ネジ
【図１】
2020003626.tif 000003
【図２】
2020003626.tif 000004
【図３】
2020003626.tif 000005
【図４】
2020003626.tif 000006
【図５】
2020003626.tif 000007
【図６】
2020003626.tif 000008